(57)【要約】【課題】天候状況に対応しない植物への給水で過度の給水は根腐れ、給水不足は立ち枯れ等の等の障害が発生する。この様な問題を防止する為に自然の乾燥状態を利用した自動給水装置を開発する事を課題とする。【解決手段】テコの原理を応用し一方には保水材１４を設置し他方にはバランス用の重り１６と貯水タンク１７を設け保水材１４の自然乾燥によりテコのバランスが崩れる事を利用し給水を自動的に行う天候感知に依る植物給水装置を提供する。【選択図】図１
0003121464.tif 000002
【実用新案登録請求の範囲】
【請求項１】
テコの原理を応用し支点１５の一方に保水材１４を取付け反対側にはバランス用重り１６とバランス用貯水タンク１７を設置し、左右のバランスが崩れる事でテコの角度変化Ｃを利用し主給水弁１１を開閉する、テコのバランスを崩す作用は保水材１４が乾燥状態の場合テコは水平状態でありこの時バランス用貯水タンク１７内に給水されタンクが満杯になり水をオーバーフローさせこの水を反対側の保水材１４に導き保水材１４を水分飽和状態にさせテコのバランスを崩し保水材側が下がる事で主給水弁１１を閉じバランス用貯水タンク１７の給水止める、再度給水するには保水材１４の水分を自然の乾燥で軽くなりテコのバランスが戻り保水材１４が上昇しテコが水平状態近くに戻る事で再度主給水弁１１を開きバランス用貯水タンク１７に給水しテコを動かす事で給水を行い保水材の上下運動を繰り返す、また外気温の状態に依り給水停止する必要が有る場合主給水弁１１の給水系統に外気温度で作動する給水緊急遮断弁１０を設置し給水を断ち植物への給水を停止する事も可能とする事もできる事を特徴とする天候感知に依る植物給水装置。
【請求項２】
主給水弁１１はテコの角度変化Ｃを利用し開閉する弁の２次側は植物への給水とバランス用貯水タンク１７へ給水の２給水系統を設ける、植物への給水方法は主給水弁出口管８下流側を直接分岐、または一旦貯水漏斗１８に溜め漏斗出口管系統８ｂより分岐する植物への給水方法が有り分岐後各植物への給水のため分岐給水弁９を設け給水する、バランス用貯水タンク１７への給水用系統には注水調整弁１３を設け給水量の調整をする事で植物への給水時間の調整出来る事を特徴とする請求項１の天候感知に依る植物給水装置。
【請求項３】
主給水弁１１の１次側は補給水２に直接接続または雨水等利用の貯水タンク１を設けそのタンクと接続、タンクの水量確保のためにタンク内部にフロート弁を設置し水位低下時補給水２から補給可能とし、又は貯水タンク１の代わりに可搬式タンク２３を設置する事も可能な事を特徴とする請求項１、２の天候感知に依る植物給水装置。
【請求項４】
テコのバランス用のバランス用貯水タンク１７に変わる方法として角度変化Ｃにより移動するローラ式のバランス重り２１、バネ等を使用する事も可能としその場合は保水材１４に直接給水し保水材１４を水分飽和状態にする事も可能とする事を特徴とする請求項１、２、３の天候感知に依る植物給水装置。
【考案の詳細な説明】
【技術分野】
【０００１】本考案は、自然の天候状況に対応した自然乾燥を応用しかつテコの原理を応用し自然乾燥によりテコのバランスが崩れる事で自動的に植物に給水する事を可能とする植物給水装置である。
【背景技術】
【０００２】家庭菜園、家庭園芸向けで植物への水やりで天候乾燥状態を応用した小規模自動給水装置は無く、電気制御方式等の自動給水装置は存在するが大掛かりとなり家庭園芸にはコスト面で適さない。また電気制御方式では晴天降雨時に関係なく定期的に給水されるが、この自然乾燥条件反映式では降雨をも考慮し自動的に給水サイクルが変わる。
【考案の開示】
【考案が解決しようとする課題】
【０００３】植物への水やりを電気制御等の大掛かりな装置を使用する事無く自然の乾燥状態を応用した方法で晴天降雨時等を反映して自動的に水やりを行う事を課題とする。
【課題を解決するための手段】
【０００４】テコの原理を応用し支点の一方に保水材を設け他方にはバランス重りを設ける。保水材に水を飽和状態にする事でテコのバランスを崩しテコの角度変化に依って給水弁を開閉する。保水材が乾燥状態になる事でテコは水平状態に角度変化しこの角度変化で給水弁を開閉し給水する。【０００５】降雨時は保水材に雨を直接当てる事で乾燥時間が変化する為乾燥時間の長くなった分給水サイクルが変化する。
【考案の効果】
【０００６】本装置を設置する事で植物の水やりが天候状態で給水される事で植物への過大な給水が無く根腐れ等の心配がなくなる。また極端な外気温度変化時は外気温度を感知し給水を停止することが可能と成る。【０００７】マンションのベランダ等、水源の無い場所で長期間留守にする場合でも天候状態に見合った給水を自動的に行うため植物の水不足による枯れを防ぐことが出来る。【０００８】鉢植え植物等を高所に置いた場合水やりは大変で何時も良好な給水状態を保つのは難しい、この装置を使用することで給水弁の調整で良好な状態が維持できる。
【考案を実施するための最良の形態】
【０００９】以下に考案に係る天候感知に依る植物給水装置の好適な実施形態を添付図参照にしながら詳述する。図１は天候感知に依る植物給水装置の全体構成図であり貯水タンク１に雨水を蓄える為に雨水導入管３と補給水２が接続されている、貯水タンク１内には補給水用フロート弁４を設け補給水２が接続されている。貯水タンク１よりタンク出口弁６を通り主給水弁１１に蓄えられた水を導きテコ状態の支点１５の一方側に付けられた保水材１４に給水し保水材１４が重くなる事でＢ２の方向に角度変化し保水材１４が下がる。保水材１４への給水はバランス用貯水タンク１７へ注水調節弁１３より給水されバランス用貯水タンク１７が満杯になりオーバーフローした給水を保水材１４に導き保水材１４が水分飽和状態になる事で重くなりＢ２の方向に移動する。保水材１４がＢ２方向に移動する事でその軸上に接触している主給水弁開閉ロッド１２も下がり主給水弁１１も閉まる方向に動く。保水材１４がＢ２の最下部に達した時点でバランス用貯水タンク１７の給水は空の状態になる。【００１０】保水材１４の水分が自然乾燥で乾燥すると保水材１４の乾燥状態の重さと支点１５の反対側に設けられたバランス用重り１６とのバランス状態が崩れ乾燥状態に応じてＢ１方向に角度変化を始める。ある角度まで保水材１４が上昇すると主給水弁開閉ロッド１２が軸上に接触し主給水弁１１が開き始める。主給水弁１１の開き始めは主給水弁開度が小さい為バランス用貯水タンク１７に先ず給水される。保水材１４が上昇し最上部に達した時点で主給水弁１１は全開状態となり主給水弁出口管８より目的の植物に給水される。各植物の給水は分岐給水弁９の開度調整する事で給水量を調整し一定時間内に目的の植物に必要量の給水が完了する。【００１１】外気温度異常温度時給水停止対策として貯水タンク出口弁６と主給水弁１１との間に外気温度が一定以上変化した場合給水を停止するために給水緊急遮断弁１０を設置し給水を停止する事も可能である。主給水弁バイパス弁７は装置作動に関係なく給水可能で主給水弁バイパス弁７を操作する事で給水出来る。また主給水弁１１故障時に操作し手動でも給水が出来る。分岐給水弁９の給水調整時にはこの弁を開き調整用に使用する。この装置を作動停止する場合は保水材１４を最下部に押下げ装置ストッパー２０のピンを差込む事で何時でも装置の停止が出来る。【００１２】貯水タンク１を設けない場合は補給水（ａ）２ａを主給水弁１１の入口に接続する事で貯水タンク１を設けず給水が出来る。また主給水弁１１の入口を直接補給水２ａに接続した場合は本装置より高い場所への給水が出来る、各分岐給水弁９の調整で給水調整を行う。また主給水弁１１出口の主給水弁出口管漏斗系統８ａを貯水漏斗１８に接続し一旦貯水し貯水漏斗１８下部より漏斗出口管系統８ｂより各分岐給水弁９入口に接続することで入口圧は低く抑えられ分岐給水弁９の調整を容易にすることもできる。【００１３】図３は装置単体の構造を示す平面図（Ａ）である。支点１５の中心よりＬ寸法の位置に主給水弁１１が設置されている。Ｌ寸法を変える事で保水材１４の角度変位Ｃにより主給水弁１４の開閉タイミングを調整出来る。図４は側面図（Ｂ）であり保水材１４の延長線上に主給水弁開閉ロッド１２が接触する事で主給水弁１１は開閉する、この弁を左右に移動する事で主給水弁１１の開閉タイミングが調整出来る事が判る。【００１４】図５はバランス用重り１６、バランス用貯水タンク１７の替わりに移動式バランス重り２１を採用した構造の側面図であり保水材１４が最上部の状態を示している。原理的には貯水タンク方式と同じであるが、保水材１４への給水方法が変わり直接保水材１４に給水しバランス変化をさせる。保水材１４が下がり出すと支点１５の反対側に設けられた移動ガイド２２に設置された移動式バランス重り２１が上昇し移動ガイド２２が水平状態より上がると移動式バランス重り２１は徐々に支点１５側に移動する。保水材１４が最下部に位置した時移動式バランス重り２１は支点１５に最も近付き主給水弁開閉ロッド１２が完全に離れ主給水弁１１が全閉している状態を示している。【００１５】植物に集中的に肥料をやる場合は貯水タンク１、可搬式タンク２３、貯水漏斗１８等に液体肥料等を入れる事で均等に施肥が可能となる。【００１６】図２は可搬式タンク２３を使用時の概略であり使用場所はマンション等のベランダー、水源の無い場所等に使用でき長期間留守にする場合には貯水タンクを複数個接続する事で長期間の植物給水を可能にする。
【図面の簡単な説明】
【００１７】
【図１】天候感知に依る植物給水装置の全体構成概要を示す図である。
【図２】天候感知に依る植物給水装置の可搬式タンク使用時の構成概要図である。
【図３】給水装置の平面図（Ａ）を示す図である。
【図４】給水装置の側面図（Ｂ）を示す図である。
【図５】給水装置でバランス用貯水タンクに替わる移動式バランス重りを使用した時の構成概要を示す図である。
【符号の説明】
【００１８】    １、貯水タンク
２、補給水
２ａ、補給水（ａ）
３、雨水導入管
４、補給水用フロート弁
５、オーバーフロー管
６、貯水タンク出口弁
７、主給水弁バイパス弁
８、主給水弁出口管
８ａ、主給水弁出口管漏斗系統
８ｂ、漏斗出口管系統
９、分岐給水弁
１０、給水緊急遮断弁
１１、主給水弁
１１ａ、主給水弁中心
１２、主給水弁開閉ロッド
１３、注水調節弁
１４、保水材
１５、支点
１６、バランス用重り
１７、バランス用貯水タンク
１８、貯水漏斗
１８ａ、貯水漏斗水位レベル
１９、漏斗オーバーフロー管
２０、装置ストッパー
２１、移動式バランス重り
２２、移動ガイド
２３、可搬式タンク
Ａ、バランス用貯水タンク水位
Ｂ、主給水弁開閉始動角度
Ｂ１、主給水弁開き方向
Ｂ２、主給水弁閉り方向
Ｃ、角度変化
【図１】
0003121464.tif 000003
【図２】
0003121464.tif 000004
【図３】
0003121464.tif 000005
【図４】
0003121464.tif 000006
【図５】
0003121464.tif 000007